(57)【要約】【課題】  日常雑貨や牛及び馬等を運搬するトラック等は、その目的に合わせ１台１台容易に作業が出来る用に各仕様で、トラックの荷台をボデー会社で製造を行っていますが、その中でもウイング車は現在の流通の中心的トラックであり、そのウイング車１台で多種様々な品物及び牛や馬等を運搬出来ないかが課題である。【解決手段】  解決手段として、ウイング荷台の羽根の内側に牛や馬等を結ぶ自動折畳み式補助枠を取付け、牛や馬及びパレット上の部品及び品物、又フォークリフト等が使える荷台に仕上り、上記課題を克服するウイング車が出来上がった。【選択図】  図５
2005145423.tif 000002
【特許請求の範囲】
【請求項１】
ウイング車の荷台の羽根の内側に約５００ｋｇからなる自動収納補助枠を取付け、牛を補助枠に固定して運搬し、水気を嫌いとする梱包類や肥料及びフォークリフトを必要とする品物等は補助枠を収納して運搬し、今まで牛積車とウイング車及びバン車等２台トラックが必要な所を１台で効率良く行うという自動収納補助枠付ウイング車。
【請求項２】
自動補助枠収納用シリンダーの取付けをただ単に左右対称では無く補助枠移動の円周率及びシリンダーのストロークとの組合わせにより、補助枠収納時の接触を防ぎ、安全かつ容易でスピーディーな請求項１に記載の自動収納補助枠。
【発明の詳細な説明】
【発明の詳細な説明】
【技術分野】
【０００１】  本発明は、ウイング車荷台の補助枠を自動収納可能にするトラックに関する。
【背景技術】
【０００２】  物品や雑貨、生き物を運搬するトラックには、それぞれ運搬する品物を目的とした様々な仕様でボデー会社で製造されている。【０００３】  家具や梱包類等、水気を嫌いとする品物の運搬にはウイング車やバン車、幌付平ボデー車が大半をしめており、牛や豚等の生き物には、牛積車、豚積車等があり、中でも牛積車は牛が運搬中強度な力で動こうとする為、牛積用補助枠をなんらかの方法で固定するしか方法はありませんでした。【０００４】  又、図１３のようにトラック荷台の左右両サイドに補助枠を固定している為、現在トラック業界の主流となっているフォークリフトが使えず効率が悪い作業となっていた。【０００５】  又、ウイング車は荷台が完全に密封されており、牛を運搬するには、ウイング車の荷箱内の温度も好ましくなかった。【０００６】  又、現在主流の牛積車は、牛を積む荷台が開放的になっているため、外観的、衛生的にも好ましくない。
【発明が解決しようとする課題】
【０００７】  そこで請求項１の発明の目的は、ウイング車１台で牛や馬、雨や湿気に弱い品物及びフォークリフトを使わないとトラックの荷台に乗せられないまとまった袋詰めの肥料等を効率良く、しかもより簡単に運搬出来るウイング車の荷台の提供であり、請求項２の目的は、請求項１の目的に加えて自動補助枠をスムーズかつ、容易に行えるウイング車の荷台用補助枠の提供である。
【課題を解決するための手段】
【０００８】  上記に記載した目的を達成する為本発明は、図５及び図６のように、ウイング車荷台の羽根の内側に２３の自動折畳み式の補助枠（以下補助枠）を取付け、牛を運搬時には、図３のように１９の後煽りを３２の電動ウインチで降ろし又図５のように補助枠を下げ牛に固定して運搬し、袋詰め肥料や、パレット上の雑貨を運搬する最には図６のように補助枠を収納して運搬する事が可能であり、請求項１に記載のウイング車１台で牛や梱包類等トラック２台分の生き物や品物が運搬可能である。
【０００９】  又、▲１０▼の硬質材からなるセンタービーム（以下センタービーム）に、▲６▼のピストンシリンダー（以下シリンダー）を取付け、▲５▼のウイング羽根の上下開放と補助枠自動収納を別々とした牛をつなぐ強度な補助枠の取付けが可能になった。
【００１０】  又、補助枠に牛をつないだとしても、補助枠自体はセンタービームに取付けられているシリンダー及び、図２  ４８の前部門講（以下前部門講）、２９の後部門講（以下後部門講）のみに取付けされておりますので、牛が強度な力で動く為、補助枠が耐え切れない場合もあり、図９、４４の上下スライド固定材を下げ５５の差込ピンを使用し、４５の床板と一体方とし、ウイング車の荷台の中でも高強度な牛積用補助枠が可能となった。
【００１１】  又、ウイング車の荷台前方に図１及び図２▲２▼の冷暖機（−２０度〜＋２０度）及び５６の室内カメラを取付け、牛を確認しながら荷箱内の温度調整が可能となった。
【００１２】  又、図１▲３▼及び▲１８▼のフィルター付き換気扇（以下換気扇）を荷箱前後に取付け、衛生面（臭気）や荷箱内のノコクズ等の吹き上げにも対処出来る。
【発明を実施するための最良の形態】
【００１３】  以下、本発明の実施の形態を図１〜図１３に基づいて説明する。【００１４】  本発明において図５、図６はウイング車の荷台内であり、左右に取付けているシリンダーを左右２３の補助枠と取付け、荷箱前後にある５４の補助枠開閉スイッチにより牛等の運搬時は、図３の用に左右の補助枠を降ろし、▲１９▼の後煽り（以下後煽り）を３２の電動ウインチ（以下ウインチ）及び２８のワイヤーにて傾斜を付け、牛を収納し２４の補助枠仕切りにワイヤー及びロープ等にて牛を固定して運搬し、肥料や雑貨等の荷物積み及びフォークリフト使用時は、図１２の用に左右補助枠及び後煽りを収納し、３９の横煽り（以下横煽り）を倒して作業を行う。その最２６及び図１１  ４１のリミッタースイッチ（以下リミッタースイッチ）により補助枠及び後煽りの上りすぎ、下がりすぎが無く、補助枠自動収納及び後煽り開閉が無理なく安全に出来る。【００１５】  本発明では、牛や馬等を後煽りからの昇降時になるべく昇降しやすい用に又、作業能率を良くする為、後煽りを倒した時に最も水平に近い用に工夫がこなされている。まず、ウイング車自体の図２  ５１のフレームの高さが低くタイヤの小さい低床用ウイングシャーシを使用し、さらに床面を下げる為、荷箱及び床面を支える４９の横根太（以下横根太）、５０の縦根太（以下縦根太）に従来のＳＳ材ではなく、亜鉛に５％のアルミニウム、０．１％のマグネシウムを複合させた高強度なガルタイト材を使用し、横根太、縦根太の高さを最小限迄低く行い、床面を出来る限り低く製造を行っている。つまり、床面が下がる事により、後煽りの高さも高くする事が出来、図３のように後煽りを最も水平に近い状態迄下げる事が出来、容易に牛や馬等を格納出来る。【００１６】  本発明では、補助枠の収納をスムーズに行える用にする為、シリンダーを左右対称ではなく、段違いで取付けている。（請求項２）
つまり、シリンダーの伸縮時において、左右対称では補助枠のとちらか一方に傾斜角度が付き補助枠が上がりにくく危険なので、収納時に補助枠が水平になる用に、シリンダーを段違いで取付け、伸縮動作を安全かつスムーズに行えるように工夫されている。又シリンダー本体とセンタービームの取付け中心位置を、図１１  ２５の補助枠開閉用蝶番の中心位置より上げることにより、シリンダーと２１の補助枠取付補強材との友引も防ぐ事が出来、シリンダー及び蝶番類にも負担を欠けない構造となっている。【００１７】  本発明では、ウイング車荷台が密封状態である為、牛や馬の運搬時には、その生き物に最高の室温を提供する為、荷箱前方には、冷暖機を取付け、荷箱前後には、フィルター付換気扇を取り付け、一定の温度を運転席より操作出来る用に行い、運搬時のノコクズ、ゴミの巻上げを阻止する事が出来、密封状態のウイング車でありながら、牛や馬にとって快適なウイング車の荷箱に仕上がっている。
【発明の効果】
【００１８】  本発明は、上記で説明したように下記の優れた効果が有る。
牛積用ウイング車の補助枠自動収納は、スイッチ操作で容易に収格納出来、１台のウイング車で、牛積車や肥料及び雑貨等の運搬車にもなり１台のウイング車で２台分のウイング車の役割を果たし、人件費も一人分で良く、大変効率の良いウイング車といえる。
【００１９】  又、衛生面でもウイング車と言う事で荷台にはアルミ材の羽根が覆っており、外観からは牛積車とは全く分からない上、冷暖機をを取付けておりますので臭気の面でも外部に全く臭いを感じさせない為、住民及び周りの人々にも嫌気を感じさせないという効果がある。
【図面の簡単な説明】
【００２０】
【図１】  本発明に係わる自動補助枠を取付けた平面図である。
【図２】  図１の正面図
【図３】  図２の後煽り開図
【図４】  図２の右側面図
【図５】  図１  Ａ〜Ａ‘の断面図
【図６】  図５の補助枠収納図
【図７】  図５のＢ部拡大図
【図８】  図５のＣ部拡大図
【図９】  図５のＤ部拡大図
【図１０】  図５の全閉拡大図
【図１１】  図６の全開拡大図
【図１２】  図２の全開図
【符号の説明】
１．冷暖機保護カバー
２．冷暖機
３．前部換気扇
４．ウイング羽根開閉用シリンダー
５．ウイング羽根
６．補助枠開閉用シリンダー
８．センタービーム補強材
９．冷暖気通達カバー
１０．センタービーム
１１．補助枠取付補強材
１２．冷暖気通過穴
１５．センタービーム取付目板
１６．パッキン材
１８．後部換気扇
１９．後煽り
２１．補助枠取付補強材Ａ
２２．補助枠取付補強材Ｂ
２３．補助枠縦骨材
２４．補助枠仕切り材
２５．補助枠開閉用蝶番
２６．後煽り用リミッタースイッチ
２７．ワイヤー用丸ブッシュ
２８．ワイヤー
２９．後部門講
３１．後煽り用蝶番
３２．電動ウインチ
３３．横台枠
３５．足掛け用角材
３９．横煽り
４０．補助枠取付用目板
４１．補助枠用リミッタースイッチ
４２．シリンダー段差用補強材
４３．補助枠断音用パッキン材
４４．上下スライド式補助枠固定材
４５．床板
４８．前部門講
４９．横根太
５０．縦根太
５１．シャーシフレーム
５２．ウイング羽根開閉用蝶番
５３．センターシート
５４．補助枠開閉スイッチ
５５．差込ピン
５６．室内カメラ
５８．前柱
５９．中柱
６０．後柱
【図１】
2005145423.tif 000003
【図２】
2005145423.tif 000004
【図３】
2005145423.tif 000005
【図４】
2005145423.tif 000006
【図５】
2005145423.tif 000007
【図６】
2005145423.tif 000008
【図７】
2005145423.tif 000009
【図８】
2005145423.tif 000010
【図９】
2005145423.tif 000011
【図１０】
2005145423.tif 000012
【図１１】
2005145423.tif 000013
【図１２】
2005145423.tif 000014
【図１３】
2005145423.tif 000015
【手続補正書】
【提出日】平成16年1月30日(2004.1.30)
【手続補正１】
【補正対象書類名】明細書
【補正対象項目名】００２０
【補正方法】変更
【補正の内容】
【００２０】
【図１】  本発明に係わる自動補助枠を取付けた平面図である。
【図２】  図１の正面図
【図３】  図２の後煽り開図
【図４】  図２の右側面図
【図５】  図１Ａ〜Ａ‘の断面図
【図６】  図５の補助枠収納図
【図７】  図５のＢ部拡大図
【図８】  図５のＣ部拡大図
【図９】  図５のＤ部拡大図
【図１０】  図５の全閉拡大図
【図１１】  図６の全開拡大図
【図１２】  図２の全開図
【図１３】  図１２の後煽り開図